(57)【要約】【課題】広帯域無線通信システムで高速のマルチメディア無線データをユーザーに效果的に提供するための時間-周波数領域の無線リソースを效率的に割り当てるための装置及び方法を提供する。【解決手段】広帯域無線通信システムにおける送信装置であって、少なくとも１つの所定のリソースユニットから成るリソースグループに含まれた少なくとも１つの所定のリソースユニットの位置及び個数に基づいてユーザーに割り当てられたリソースグループ情報及びユーザー情報を含む制御チャンネルを生成するための制御チャンネル発生器と、制御チャンネルに従ってリソースにデータを割り当てるためのチャンネル発生器と、を備えた送信装置及びその送信方法が提供される。また、該送信装置に応答する受信装置及びその受信方法が提供される。【選択図】図２
2007006503.tif 000002
【特許請求の範囲】
【請求項１】
広帯域無線通信システムにおける送信装置であって、
少なくとも１つの所定のリソースユニットから成るリソースグループに含まれた少なくとも１つの所定のリソースユニットの位置及び個数に基づいてユーザーに割り当てられたリソースグループ情報及びユーザー情報を含む制御チャンネルを生成するための制御チャンネル発生器と、
制御チャンネルに従ってリソースにデータを割り当てるためのチャンネル発生器と、
を備えた送信装置。
【請求項２】
送信装置は、少なくとも１つの所定のリソースユニットから成る全体時間−周波数リソースを有し、少なくとも１つの所定のリソースユニットは、少なくとも１つのリソースグループにグループ化され、そして少なくとも１つのリソースグループの各々は、少なくとも１つのリソースグループの各々に含まれる少なくとも１つの所定のリソースユニットの位置及び個数に従ってリソースグループ情報で識別される請求項１に記載の送信装置。
【請求項３】
制御チャンネルは、時間−周波数リソース割り当てのためのＭＡＰチャンネルである請求項１に記載の送信装置。
【請求項４】
少なくとも１つのリソースグループ情報は、全体時間−周波数リソースに順次に割り当てられる請求項２に記載の送信装置。
【請求項５】
少なくとも１つのリソースグループの各々における少なくとも１つの所定のリソースユニットの個数は、１及び全体固定リソースユニットの個数の偶数の約数の一方である請求項１に記載の送信装置。
【請求項６】
制御チャンネルは、さらに、ユーザーに割り当てられる多重接続チャンネルの種類に関する情報を含む請求項２に記載の送信装置。
【請求項７】
全体時間−周波数リソースは、多重接続チャンネルに従って分割され、リソースグループ情報は、個々の多重接続チャンネルに対して個別に割り当てられる請求項６に記載の送信装置。
【請求項８】
少なくとも１つのリソースグループ情報は、多重接続チャンネルの各々に対して順次に割り当てられる請求項６に記載の送信装置。
【請求項９】
少なくとも１つのリソースグループの各々における少なくとも１つの所定のリソースユニットの個数は、１及び各多重接続チャンネルに含まれる全体所定リソースユニットの個数の偶数の約数の一方である請求項６に記載の送信装置。
【請求項１０】
多重接続チャンネルは、ダイバシティチャンネル、及び適合変調・コーディング（ＡＭＣ［ａｎ  ａｄａｐｔｉｖｅ  ｍｏｄｕｌａｔｉｏｎ  ａｎｄ  ｃｏｄｉｎｇ］）チャンネルの一方である請求項６に記載の送信装置。
【請求項１１】
少なくとも１つのリソースグループの各々に含まれる少なくとも１つの所定のリソースユニットは、連続的或いは非連続的である請求項１に記載の送信装置。
【請求項１２】
広帯域無線通信システムにおける受信装置であって、
受信されたフレームから制御チャンネルを復元し、少なくとも１つの所定のリソースユニットから成るリソースグループに含まれた少なくとも１つの所定のリソースユニットの位置及び個数に基づいてユーザーのためのデータが割り当てられたリソースグループ情報及びユーザー情報を獲得するための制御チャンネル復元器と、
ユーザー情報及びリソースグループ情報に対応するデータを受信するためのチャンネル受信器と、
を備えた受信装置。
【請求項１３】
受信装置は、少なくとも１つの所定のリソースユニットから成る全体時間−周波数リソースを有し、少なくとも１つの所定のリソースユニットは、少なくとも１つのリソースグループにグループ化され、そして少なくとも１つのリソースグループの各々は、少なくとも１つのリソースグループの各々に含まれる少なくとも１つの所定のリソースユニットの位置及び個数に従ってリソースグループ情報で識別される請求項１２に記載の受信装置。
【請求項１４】
制御チャンネルは、時間−周波数リソース割り当てのためのＭＡＰチャンネルである請求項１２に記載の受信装置。
【請求項１５】
制御チャンネルは、さらに、データを搬送する多重接続チャンネルの種類に関する情報を含み、制御チャンネル復元器は、さらに、多重接続チャンネルの種類を獲得する請求項１２に記載の受信装置。
【請求項１６】
多重接続チャンネルは、ダイバシティチャンネル、及び適合変調・コーディング（ＡＭＣ［ａｎ  ａｄａｐｔｉｖｅ  ｍｏｄｕｌａｔｉｏｎ  ａｎｄ  ｃｏｄｉｎｇ］）チャンネルの一方である請求項１５に記載の受信装置。
【請求項１７】
広帯域無線通信システムにおける送信方法であって、
少なくとも１つの所定のリソースユニットから成るリソースグループに含まれた少なくとも１つの所定のリソースユニットの位置及び個数に基づいてユーザーに割り当てられたリソースグループ情報及びユーザー情報を含む制御チャンネルを生成する段階と、
リソースグループ情報に対応するリソースにデータを割り当てる段階と、
を含む送信方法。
【請求項１８】
通信システムは、少なくとも１つの所定のリソースユニットから成る全体時間−周波数リソースを有し、少なくとも１つの所定のリソースユニットは、少なくとも１つのリソースグループにグループ化され、そして少なくとも１つのリソースグループの各々は、少なくとも１つのリソースグループの各々に含まれる少なくとも１つの所定のリソースユニットの位置及び個数に従ってリソースグループ情報で識別される請求項１７に記載の送信方法。
【請求項１９】
制御チャンネルは、時間−周波数リソース割り当てのためのＭＡＰチャンネルである請求項１７に記載の送信方法。
【請求項２０】
リソースグループ情報は、全体時間−周波数リソースに順次に割り当てられる請求項１７に記載の送信方法。
【請求項２１】
少なくとも１つのリソースグループの各々における所定のリソースユニットの個数は、１及び全体所定リソースユニットの個数の偶数の約数の一方である請求項１７に記載の送信方法。
【請求項２２】
制御チャンネルは、さらに、ユーザーに割り当てられる多重接続チャンネルの種類に関する情報を含む請求項１７に記載の送信方法。
【請求項２３】
全体時間−周波数リソースは、多重接続チャンネルに従って分割され、少なくとも１つのリソースグループ情報は、個々の多重接続チャンネルに対して個別に割り当てられる請求項１８に記載の送信方法。
【請求項２４】
リソースグループ情報は、多重接続チャンネルの各々に対して順次に割り当てられる請求項２２に記載の送信方法。
【請求項２５】
少なくとも１つのリソースグループの各々に含まれる少なくとも１つの所定のリソースユニットの個数は、１及び各多重接続チャンネルに含まれる全体所定リソースユニットの個数の偶数の約数の一方である請求項２２に記載の送信方法。
【請求項２６】
多重接続チャンネルは、ダイバシティチャンネル、及び適合変調・コーディング（ＡＭＣ［ａｎ  ａｄａｐｔｉｖｅ  ｍｏｄｕｌａｔｉｏｎ  ａｎｄ  ｃｏｄｉｎｇ］）チャンネルの一方である請求項２２に記載の送信方法。
【請求項２７】
少なくとも１つのリソースグループの各々に含まれる少なくとも１つの所定のリソースユニットは、連続的或いは非連続的である請求項１７に記載の送信方法。
【請求項２８】
広帯域無線通信システムにおける受信方法であって、
受信されたフレームから制御チャンネルを復元し、ユーザーのためのデータが割り当てられたリソースグループ情報及びユーザー情報を獲得する段階と、
ユーザー情報及び少なくとも１つのリソースグループ情報に従ってデータを受信する段階と、
を含む受信方法。
【請求項２９】
通信システムは、少なくとも１つの所定のリソースユニットから成る全体時間−周波数リソースを有し、少なくとも１つの所定のリソースユニットは、少なくとも１つのリソースグループにグループ化され、そして少なくとも１つのリソースグループの各々は、少なくとも１つのリソースグループの各々に含まれる少なくとも１つの所定のリソースユニットの位置及び個数に従ってリソースグループ情報で識別される請求項２８に記載の受信方法。
【請求項３０】
制御チャンネルは、時間−周波数リソース割り当てのためのＭＡＰチャンネルである請求項２８に記載の受信方法。
【請求項３１】
制御チャンネルは、さらに、データを搬送する多重接続チャンネルの種類に関する情報を含む請求項２８に記載の受信方法。
【請求項３２】
多重接続チャンネルは、ダイバシティチャンネル、及び適合変調・コーディング（ＡＭＣ［ａｎ  ａｄａｐｔｉｖｅ  ｍｏｄｕｌａｔｉｏｎ  ａｎｄ  ｃｏｄｉｎｇ］）チャンネルの一方である請求項３１に記載の受信方法。
【発明の詳細な説明】
【技術分野】
【０００１】
本発明は広帯域無線通信システムにおけるフレーム構成装置及び方法に関するもので、特に、直交周波数分割多重化(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：以下、“ＯＦＤＭ”とする)通信に基づく広帯域無線通信システムで、マップチャンネル情報を最小化するためのフレーム構成方法及びこれを支援するための送受信装置に関するものである。
【背景技術】
【０００２】
最近で、高速の移動通信のために多くの無線通信技術が提案されており、この中でＯＦＤＭ技術が現在一番有力な次世代無線通信技術の一つとして認められている。さらに、２０１０年頃の４世代無線通信技術ではこのＯＦＤＭ技術が大部分使用されると予想され、現在３.５世代の技術と呼ばれている８０２.１６系列のＷＭＡＮ(Ｗｉｒｅｌｅｓｓ  Ｍｅｔｒｏｐｏｌｉｔａｎ  Ａｒｅａ  Ｎｅｔｗｏｒｋ)でもＯＦＤＭ技術を標準規格として採択している。
【０００３】
８０２.１６の規格制定グループ(Ｗｏｒｋｉｎｇ  Ｇｒｏｕｐ)の中で無線通信規格として代表されることは、８０２.１６ｄ，８０２.１６ｅで、これら規格は、更にシングルキャリア(Ｓｉｎｇｌｅ  Ｃａｒｒｉｅｒ)、ＯＦＤＭ、ＯＦＤＭＡ(Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ)規格に分けられる。
【０００４】
これら規格のうち、８０２.１６ｄ及び８０２.１６ｅのＯＦＤＭＡ規格は、伝送すべきデジタルビット情報を效果的に受信端に伝送するために、周波数-時間リソースを用いるダウンリンクとアップリンクのフレーム構造及び多様な無線チャンネル状態を考慮したフレーム内の無線チャンネル割り当てについて定義している。
【０００５】
図１は、ＩＥＥＥ(Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ)８０２.１６ｄ及び８０２.１６ｅ規格のＯＦＤＭＡシステムのフレーム構造を示す。以下の説明で、概念的な周波数及び時間領域でデータ単位を各々サブチャンネル(Ｓｕｂ-ｃｈａｎｎｅｌ）とシンボルで示し、１人のユーザーに伝送可能な最小のデータ単位は一つのサブチャンネルと一つのシンボルで構成されると仮定する。また、縦軸は周波数リソース単位であるサブチャンネルで、ｓ番目から(ｓ＋Ｌ)番目までＬ個のチャンネル有する。横軸は時間のリソース単位であるＯＦＤＭシンボルで、ｋ番目から(ｋ＋Ｍ)番目までＭ個の順方向(Ｄｏｗｎｌｉｎｋ)ＯＦＤＭシンボルを有し、(ｋ＋Ｍ＋１)番目から(ｋ＋Ｍ＋Ｎ)までＮ個の逆方向(Ｕｐｌｉｎｋ)ＯＦＤＭシンボルを有する。そして、順方向と逆方向との間には時間境界領域(Ｇｕａｒｄ  ｒｅｇｉｏｎ)であるＴＴＧ(Ｔｒａｎｓｍｉｔ/Ｒｅｃｅｉｖｅ  Ｔｒａｎｓｉｔｉｏｎ  Ｇａｐ)が存在する。
【０００６】
図１に示すように、ＯＦＤＭＡのフレームは、順方向ではプリアンブル(Ｐｒｅａｍｂｌｅ)、ＦＣＨ(Ｆｒａｍｅ  Ｃｏｎｔｒｏｌ  Ｈｅａｄｅｒ)、ＤＬ(Ｄｏｗｎ  Ｌｉｎｋ)-ＭＡＰ、ＵＬ(Ｕｐ  Ｌｉｎｋ)-ＭＡＰ、ＤＬ-バースト（以下、ＤＬ-Ｂｕｒｓｔ）で構成され、逆方向ではＵＬ-Ｂｕｒｓｔで構成される。
【０００７】
プリアンブルは、ユーザーに時間及び周波数に同期し、セル情報を獲得するために使用される。ＦＣＨは、ＤＬ-ＭＡＰを復号するための情報を含む。ＤＬ-ＭＡＰは、基地局の実質的な伝送情報データを有しているＤＬ- Ｂｕｒｓｔのユーザー情報とフレーム内で位置情報を含む。
【０００８】
逆方向で、ＵＬ-Ｂｕｒｓｔは、ユーザー、すなわち端末が伝送しようとする実質的なデータ情報を含む。ＵＬ-ＭＡＰは、どのユーザーがフレーム内のどの位置で自分のデータを伝送するかを基地局に知らせる情報を含む。
【０００９】
ＤＬ-ＢｕｒｓｔとＵＬ-Ｂｕｒｓｔのそれぞれを構成するために、最小一つ以上のサブチャンネルと最小一つ以上のシンボルで遂行され、シンボルは物理的に時間の順序のように、ｋ番目のシンボルの時間の次には(ｋ＋１)番目のシンボル、そして最後に(ｋ＋Ｍ＋Ｎ)番目のシンボルが配置される。しかしながら、サブチャンネルの場合に、ｓ番目のサブチャンネルとｓ＋１番目のサブチャンネルは物理的に隣接しているサブチャンネルであり、或いはそうでない場合もある。その理由は、ＯＦＤＭ技術の特性上、無線チャンネルを通過すると、周波数の選択的な特徴のため、実際のサブチャンネルを構成するＯＦＤＭ副搬送波が物理的に隣接しないように論理的に再配置するためである。
【００１０】
一つの論理的なサブチャンネルを構成するために、実際に物理的な副搬送波は、サブチャンネルにマッピング(ｍａｐｐｉｎｇ)することをサブチャンネル割り当て(ｓｕｂ-ｃｈａｎｎｅｌ  ａｌｌｏｃａｔｉｏｎ)と呼ばれる。８０２.１６ＯＦＤＭＡ規格にはＦＵＳＣ(Ｆｕｌｌ  Ｕｓａｇｅ  Ｓｕｂ-Ｃａｒｒｉｅｒ)、ＰＵＳＣ(Ｐａｒｔｉａｌ  Ｕｓａｇｅ  Ｓｕｂ-Ｃａｒｒｉｅｒ）のサブチャンネル割り当て技法で代表されるダイバシティ(ｄｉｖｅｒｓｉｔｙ)サブチャンネル割り当て技法とＡＭＣ(Ａｄａｐｔｉｖｅ  Ｍｏｄｕｌａｔｉｏｎ  ａｎｄ  Ｃｏｄｉｎｇ)サブチャンネル割り当て技法がある。
【００１１】
サブチャンネル割り当て技術において、相互に反対概念で、ダイバシティサブチャンネル割り当て方法は論理的なサブチャンネルを構成している物理的な副搬送波を分散させることによって周波数選択的特性を有する無線チャンネルによく対処可能にする。一方、ＡＭＣサブチャンネル割り当て方法は、論理的なサブチャンネルを構成している副搬送波が物理的に隣接するように配置する。すなわち、ダイバシティサブチャンネル割り当て方法は、チャンネル状況を知らない場合に、データの損失を低減するために副搬送波を分散させ伝送する。一方、ＡＭＣチャンネル割り当て方法は、周波数選択的なサブチャンネルの中で比較的チャンネル状態の良いサブチャンネルを把握し、このサブチャンネルの変調(Ｍｏｄｕｌａｔｉｏｎ）方法とチャンネル符号化(Ｃｈａｎｎｅｌ  ｃｏｄｉｎｇ)方法を変えてより多くのデータを一度に伝送することで、周波数の効率を向上することを目的とする。
【００１２】
上述したように、８０２.１６のＯＦＤＭＡでは多様なサブチャンネル割り当て技法を使用して無線チャンネル状態に適合したことを選択するようにし、フレーム内のＤＬ-Ｂｕｒｓｔ及びＵＬ-Ｂｕｒｓｔを柔軟に配置させるためにユーザーに伝送しようとするデータを一つのサブチャンネル及び一つのタイムシンボル単位で割り当てることが可能にすることによって、チャンネル割り当ての自由度を最大限高くするようにフレームが構成される。
【００１３】
しかしながら、自由度が高まるだけ伝送すべき制御情報も多くなるため、多様なユーザーのデータがフレーム内に混在している場合に、ＤＬ-ＭＡＰ、ＵＬ-ＭＡＰでユーザーに知らせるべきデータ位置に関する情報は、相当なオーバーヘッド(ｏｖｅｒｈｅａｄ）として作用される。例えば、ＯＦＤＭＡの帯域幅(Ｂａｎｄｗｉｄｔｈ)-１０ＭＨｚ、２０４８-ＦＦＴ(Ｆａｓｔ  Ｆｏｕｒｉｅｒ  Ｔｒａｎｓｆｏｒｍ)モードで一人のユーザーにＤＬ-ＭＡＰを用いてフレーム内のデータ位置を通報するためには、最小限ＣＩＤ(Ｃａｌｌ  Ｉｄｅｎｔｉｔｙ)(１６ｂｉｔ)＋データの開始点(１４ｂｉｔ)＋データのサイズ(１３ｂｉｔ)の総４３ｂｉｔが必要である。そのうえ、ここでサブチャンネル割り当て技法及び他の必要な制御情報を含むと、伝送すべき情報のサイズは一層大きくなる。さらに、ユーザーの数が多くなる場合に、マップ情報のサイズがより大きくなってデータを多く伝送しないという問題点が発生する。
【発明の開示】
【発明が解決しようとする課題】
【００１４】
したがって、上記のような従来技術の問題点を解決するために、本発明の目的は、広帯域無線通信システムで高速のマルチメディア無線データをユーザーに效果的に提供するための時間-周波数領域の無線リソースを效率的に割り当てるための装置及び方法を提供することにある。
【００１５】
本発明の他の目的は、広帯域無線通信システムで最小限の制御情報を用いて無線リソースを效率的に割り当てるための装置及び方法を提供することにある。
【００１６】
また、本発明の目的は、広帯域無線通信システムで固定リソースグループを用いて制御情報を最小化するための装置及び方法を提供することにある。
【課題を解決するための手段】
【００１７】
上記した目的を達成するために、本発明の一態様によれば、広帯域無線通信システムにおける送信装置であって、
少なくとも１つの所定のリソースユニットから成るリソースグループに含まれた少なくとも１つの所定のリソースユニットの位置及び個数に基づいてユーザーに割り当てられたリソースグループ情報及びユーザー情報を含む制御チャンネルを生成するための制御チャンネル発生器と、
制御チャンネルに従ってリソースにデータを割り当てるためのチャンネル発生器と、
を備えた送信装置が提供される。
【００１８】
また、本発明のもう１つの態様によれば、広帯域無線通信システムにおける受信装置であって、
受信されたフレームから制御チャンネルを復元し、少なくとも１つの所定のリソースユニットから成るリソースグループに含まれた少なくとも１つの所定のリソースユニットの位置及び個数に基づいてユーザーのためのデータが割り当てられたリソースグループ情報及びユーザー情報を獲得するための制御チャンネル復元器と、
ユーザー情報及びリソースグループ情報に対応するデータを受信するためのチャンネル受信器と、
を備えた受信装置が提供される。
【００１９】
本発明のさらなる態様によれば、広帯域無線通信システムにおける送信方法であって、
少なくとも１つの所定のリソースユニットから成るリソースグループに含まれた少なくとも１つの所定のリソースユニットの位置及び個数に基づいてユーザーに割り当てられたリソースグループ情報及びユーザー情報を含む制御チャンネルを生成する段階と、
リソースグループ情報に対応するリソースにデータを割り当てる段階と、
を含む送信方法が提供される。
【００２０】
本発明のまたさらなる態様によれば、広帯域無線通信システムにおける受信方法であって、
受信されたフレームから制御チャンネルを復元し、ユーザーのためのデータが割り当てられたリソースグループ情報及びユーザー情報を獲得する段階と、
ユーザー情報及び少なくとも１つのリソースグループ情報に従ってデータを受信する段階と、
を含む受信方法が提供される。
【発明の効果】
【００２１】
本発明は、広帯域無線通信システムで固定されたリソースグループを使用する場合に、マップチャンネル情報量が減少可能であるため、時間-周波数リソースを效率的に使用することができる効果を有する。したがって、広帯域無線通信システムが目標とする高速無線マルチメディアサービスを效率的に提供することができる効果がある。
【発明を実施するための最良の形態】
【００２２】
以下、本発明の望ましい実施形態を添付の図面を参照して詳細に説明する。
本発明に関連した公知の機能或いは構成に関する具体的な説明が本発明の要旨を不明にすると判断された場合に、その詳細な説明を省略する。
【００２３】
本発明では、広帯域無線通信システムで高速無線マルチメディアサービスのために效率的に時間-周波数リソースを活用するための技術について説明する。すなわち、広帯域無線通信システムで、マップ情報を減少して效率的に時間-周波数リソースを活用するためのフレーム構成方法及びこれに対応する送受信装置に関する技術について説明する。下記に、例えば、直交周波数分割多重化(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ)に基づいた多重接続方式を説明し、他の接続方式にも同一に適用される。また、例えば、ダイバシティ(Ｄｉｖｅｒｓｉｔｙ)サブチャンネル割り当て方式を説明し、他のサブチャンネル割り当て方式にも同一に適用される。
【００２４】
図２は、本発明の実施形態によるフレーム構造を示す。以下の説明で、横軸は時間領域を示し、縦軸は周波数領域を示す。
図２に示すように、フレームは、プリアンブルチャンネル２０１、マップチャンネル２０３、ダイバシティチャンネル２０５、ＡＭＣチャンネル(Ａｄａｐｔｉｖｅ  Ｍｏｄｕｌａｔｉｏｎ  ａｎｄ  Ｃｏｄｉｎｇ  Ｃｈａｎｎｅｌ)２０７、及び任意の他のチャンネル(Ｏｔｈｅｒ  Ｃｈａｎｎｅｌ)２０９を含む。ここで、他のチャンネル２０９は、ダイバシティチャンネルとＡＭＣチャンネル以外のユーザーによって用いられるチャンネルを示す。
【００２５】
プリアンブルチャンネル２０１は、フレームの一番前に配置されて時間同期し、セル情報を提供する役割を遂行する。マップチャンネル２０３は、ユーザーのＩＤと各ユーザーに割り当てられたチャンネル種類、この割り当てられたチャンネルで使用されるリソースグループ番号で構成される。
【００２６】
マップチャンネル２０３の構成は、チャンネル種類によりリソースグループを構成する方式とチャンネルの種類に関係なくリソースグループを構成する方式がある。
【００２７】
まず、チャンネルの種類により、リソースグループを構成するマップチャンネル２０３の詳細構成は、下記の＜表１＞のようである。
【表１】
2007006503.tif 000003
【００２８】
ここで、ＮＩＤはユーザーＩＤを示すビット数で、Ｎｃｈはチャンネル種類を示すビット数である。すなわち、Ｎｃｈによりユーザーがダイバシティチャンネルに接続したか、或いはＡＭＣチャンネルに接続したか、又は他のチャンネルに接続したかがわかる。ＮＲ_div、ＮＲ_ＡＭＣ、ＮＲ_otherは、各チャンネルの最大リソースグループ番号を表現するためのビット数を示し、リソースグループ番号は各チャンネルにより同じであるか、或いは異なることもある。もし、リソースグループ番号が各チャンネルにより異なる場合に、マップチャンネルの伝送を容易にするためにはリソースグループ番号を表現するための一番大きいビットを基準として同一にすることができる。上記の＜表１＞では、最大ビットＮＲと同一にすると仮定する。
【００２９】
＜表１＞のようにマップチャンネル２０３を構成した場合に、最大に必要なマップチャンネル伝送量は、下記の＜数１＞のように示す。
＜数１＞は、マップチャンネル２０３の伝送量ＴＭＡＰを算出する式である。ここで、各チャンネルのリソースグループ番号を最大ＮＲビットに統一して示すと仮定する。
【００３０】
【数１】
2007006503.tif 000004
【００３１】
ここで、ＴMAPはマップチャンネル伝送量を示し、Ｎuser_divは同時にダイバシティチャンネルを用いるユーザーの数を、Ｎuser_AMCは同時にＡＭＣチャンネルを用いるユーザーの数を、Ｎuser_otherは同時に他のチャンネルを用いるユーザーの数を、それぞれ示す。
【００３２】
上述したように、マップチャンネル２０３の伝送量は各チャンネルに同時に接続可能な最大ユーザーの数により変化される。したがって、各チャンネルに接続するユーザーが各チャンネルで使用可能な最小リソースユニットのみを使用した場合に、マップチャンネルの伝送量が最大となる。
【００３３】
次に、チャンネル種類に関係なくリソースグループを構成するマップチャンネル２０３の詳細構成は、下記の＜表２＞のようである。
【表２】
2007006503.tif 000005
【００３４】
ここで、ＮＲ_totは、各チャンネルのリソースグループをチャンネル別に番号を付けないで、一括的に一度にリソースグループ番号を付けるときに最大リソースグループ番号を表現できるビット数を示す。
【００３５】
すなわち、＜表２＞は、＜表１＞と比較すると、ユーザーが使用するチャンネル種類を区分しないことが異なる。
【００３６】
マップチャンネル２０３は、＜表１＞と＜表２＞のマップチャンネルの構成のうち、下記の＜数２＞を用いて少ないリソースを有するマップチャンネルの構成方式を決定する。
＜数２＞は、少ないリソースを有するマップチャンネル２０３の構成方式を決定する数式である。
【００３７】
【数２】
2007006503.tif 000006
【００３８】
ここで、Ｎchはチャンネル種類を表現するビット数を示し、ＮＲ_div、ＮＲ_ＡＭＣ、ＮＲ_otherは各チャンネルの最大リソースグループ番号を表現するためのビット数を示す。すなわち、Ｎch＋ＭＡＸ(ＮＲ_div，ＮＲ_ＡＭＣ，ＮＲ_other)は、＜表１＞のマップチャンネル構成方式を使用する場合に、マップチャンネル構成に必要なリソース量を示す。ＮＲ_totは、＜表２＞のマップチャンネル構成方式を使用する場合に、マップチャンネル構成に必要なリソースの量を示す。
【００３９】
すなわち、＜数２＞を満足する場合には＜表２＞のようにマップチャンネルを構成し、＜数２＞を満足する場合には＜表１＞のようにマップチャンネルを構成する。
【００４０】
一方、ダイバシティチャンネル２０５、ＡＭＣチャンネル２０７、他のチャンネル２０９は、ｒdiv :ｒＡＭＣ: ｒotherの割合でリソースが割り当てられる。ここで、ｒdivはダイバシティチャンネル２０５に割り当てられるリソース比、ｒＡＭＣはＡＭＣチャンネル２０７に割り当てられるリソースの比、ｒotherは他のチャンネル２０９に割り当てられるリソースの比を示す。ここで、リソース比は、プリアンブルチャンネル２０１とマップチャンネル２０３に割り当てられたリソースの量を除いて算出する。また、チャンネルのリソース比は固定され、或いはフレームごとに変わることができる。
【００４１】
ダイバシティチャンネル２０５の構成は、ユーザーに割り当て可能な最小リソースユニット２１７のサイズが固定されており、最小リソースユニット２１７は総Ｎdiv_ch個(２１９)が存在する。ここで、最小リソースユニット２１７は、一つ以上のＯＦＤＭシンボルと一つ以上の副搬送波で構成された時間-周波数単位である。
【００４２】
ダイバシティチャンネル２０５でリソースを各ユーザーに割り当てる方法は、下記の＜表３＞のように示す。
【表３】
2007006503.tif 000007
【００４３】
＜表３＞を参照すると、Ｎdiv_chを２４であると仮定して説明する。Ｇ１，Ｇ２，Ｇ４，Ｇ８，Ｇ１２，Ｇ２４は、リソースグループを構成するリソースユニットの個数が１個、２個、４個、８個、１２個、２４個であるリソースグループが該当チャンネルに配置される個数である。
【００４４】
ここで、リソースグループを構成するリソースユニットの個数は、Ｎdiv_chの約数のうち１と偶数だけが使用可能で、リソースグループでリソースユニットが浪費されることを防ぐために、Ｎdiv_chの約数の中にユーザーに割り当てられるリソースの使用量により選択的に使用可能である。また、リソースユニットの個数が１であるリソースグループは偶数個でなければならない。例えば、＜表３＞のようにＮdiv_chが２４である場合に、２４の約数２４，１２，８，６，４，３，２，１の中から奇数である３を除去し、リソースグループでリソースユニットが浪費されることを防ぐために６を除去する。したがって、＜表３＞では２４，１２，８，４，２，１のリソースユニットの個数が使用される。
【００４５】
Ｎdiv_chが２４である場合のリソースを各ユーザーに割り当てる方法は、下記の＜表４＞のように示す。
【表４】
2007006503.tif 000008
【００４６】
ここで、＜表４＞は＜表３＞を詳細に示す。
【００４７】
図３は、本発明の実施形態による固定されたリソースユニットを用いるチャンネルの構成を示す。下記に、＜表４＞のリソースグループを用いてダイバシティチャンネルを構成することを例として説明する。また、リソースグループは連続的なリソースユニットで構成されると仮定する。
【００４８】
図３に示すように、１〜２４(３０１)はリソースグループ内にリソースユニットが一個のリソースグループ番号を示し、(２５)〜(３６)(３０３)のように(  )内の数字は一つのリソースグループ内にリソースユニットが２個のリソースグループ番号を示す。
【００４９】
３７〜４２(３０５)は一個のリソースグループが４個のリソースユニットで構成されたリソースグループ番号を示し、○内の数字４３〜４５(３０７）は一個のリソースグループが８個のリソースユニットで構成されたリソースグループ番号を示す。
【００５０】
また、二重下線の数字４６〜４７(３０９)は一個のリソースグループが１２個のリソースユニットで構成されたリソースグループ番号を示し、□内の数字４８(３１１）は、１個のリソースグループが２４個のリソースユニットで構成されたリソースグループ番号を示す。
【００５１】
例えば、図３のようにチャンネルを構成して各ユーザーに図４に示すようにリソースグループを割り当てる。
【００５２】
図４は、図３に示すチャンネルの構成の実施形態を示す。
【００５３】
下記の説明において、８個のリソースユニットで構成されたリソースグループを使用するユーザーはｕ１の一人、４個のリソースユニットで構成されたリソースグループを使用するユーザーはｕ２，ｕ３，ｕ４の３人、２個のリソースユニットで構成されたリソースグループを使用するユーザーはｕ５の一人、１個のリソースユニットで構成されたリソースグループを使用するユーザーはｕ６，ｕ７の２人であり、すべて７人のユーザーにダイバシティチャンネルが割り当てられると仮定する。
【００５４】
図４に示すように、各ユーザーをチャンネルに割り当てると、ｕ１は○内に表示されたリソースグループ番号４３(４０１)が示すリソースグループを、ｕ２，ｕ３，ｕ４は３９(４０３)、４０(４０５)、４１(４０７)が示すリソースグループを、ｕ５は(３５)(４０９)が示すリソースグループを、ｕ６、ｕ７は２３(４１１)、２４(４１３)が示すリソースグループを使用する。
【００５５】
上述した方法は、リソースユニットが連続に配置される場合について例に挙げて説明したが、リソースユニットは連続的に配置されなくても良い。特に、ダイバシティチャンネルは、周波数選択的フェージングの特性を避けるために生成されたため、一つのリソースグループ内のリソースユニットを最小限コヒーレント(ｃｏｈｅｒｅｎｃｅ)帯域幅とコヒーレント時間の間隔を置いて配置すると、より良い効果が期待できる。また、各ユーザーにリソースグループを割り当てる場合に、リソースユニットが残るとか足りないことを防止するために最も多いリソースユニットを必要とするユーザーからリソースグループを割り当てる。
【００５６】
図５は、本発明の実施形態による多重接続方式を支援する送受信器の階層構造を示す。図５に示すように、送信器５００で各ユーザーに伝送する情報ビット列は上位階層(Ｕｐｐｅｒ  Ｌａｙｅｒ)５０１からＭＡＣ階層５０３に伝送される。
【００５７】
ＭＡＣ階層５０３は、情報ビット列を用いてＭＡＣメッセージを生成する。ＭＡＣ階層５０３に含まれているチャンネル割り当て部５０５は、情報ビット列に対する各ユーザーのＩＤと割り当てられたチャンネル種類、前記割り当てられたチャンネルで使用するリソースグループ番号などを含むマップチャンネルを生成する。物理階層(Ｐｈｙｓｉｃａｌ  Ｌａｙｅｒ)５０７は、ＭＡＣ階層５０３からＭＡＣメッセージを受信してマップチャンネルに割り当てられたチャンネルに情報ビット列を割り当て、受信器５１０に伝送する。
【００５８】
次に、受信器５１０は、送信器５００から伝送されたフレームが受信されると、物理階層５１１でこのフレームのプリアンブルチャンネルを用いて時間同期とセル情報を獲得する。以後、ＭＡＣ階層５１３のチャンネル復元部５１５は、フレームのマップチャンネルを復元して情報ビット列の該当ユーザーのＩＤに合うチャンネル種類と使用したリソースグループ番号を確認して物理階層５１１に伝送する。以後、物理階層５１１は、チャンネル復元部５１５から受信した該当ユーザーの使用チャンネルとリソースグループ番号を用いて情報ビット列を検出し、この検出された情報ビット列をＭＡＣ階層５１３に伝送する。ＭＡＣ階層５１３に受信された情報ビット列は、上位階層５１７に送られて最終的にユーザーに合うデータに復旧される。
【００５９】
図６Ａは、本発明の実施形態による多重接続方式を支援する送信器を示すブロック構成図である。以下の説明は、上記した＜表１＞の方式で構成したマップチャンネル情報を用いてダイバシティチャンネル、ＡＭＣチャンネル、及び任意のチャンネルを割り当てる方法を示す。また、各チャンネルは周波数間隔又は時間間隔を置いて発生するが、以下では時間間隔を置いて発生させることを説明する。
【００６０】
図６Ａに示すように、送信器は、プリアンブルチャンネル発生器６０１と、マップチャンネル発生器６０３と、ダイバシティチャンネル/ＡＭＣチャンネル/任意のチャンネル発生器６０５と、時間間隔発生器(ＴＤＤ)６０７とを含む。
【００６１】
プリアンブルチャンネル発生器６０１は、受信器で時間同期してセルを獲得するようにプリアンブルチャンネルを発生させて時間間隔発生器６０７に提供する。マップチャンネル発生器６０３は、伝送する情報ビット列のユーザーＩＤと情報ビット列に割り当てられたチャンネル種類、割り当てられたチャンネルで使用するリソースグループ番号で構成されたマップチャンネルを発生させて時間間隔発生器６０７に提供する。
【００６２】
ダイバシティチャンネル/ＡＭＣチャンネル/任意のチャンネル発生器６０５は、マップチャンネルに含まれた割り当てられたチャンネル種類とリソースグループ番号に各ユーザーの情報ビット列をマッピングさせてデータチャンネルを発生させて時間間隔発生器６０７に提供する。
【００６３】
時間間隔発生器６０７は、受信されたプリアンブルチャンネル、マップチャンネル、ダイバシティチャンネル、ＡＭＣチャンネル、及び任意のチャンネルを時間間隔を置いて順に発生させてフレームを構成する。
【００６４】
図６Ｂは、本発明の実施形態による多重接続方式を支援する受信器を示すブロック構成図である。図６Ｂに示すように、受信器は、プリアンブルチャンネル復元器６１１と、マップチャンネル復元器６１３と、チャンネル選択器６１５と、ダイバシティチャンネル復元器６１７と、ＡＭＣチャンネル復元器６１９と、任意のチャンネル復元器６２１とを含む。
【００６５】
受信器は、送信器から伝送されたフレームを受信してフレームに存在するチャンネルを順に復元する。まず、プリアンブルチャンネル復元器６１１を通じてプリアンブルチャンネルを復元し、時間同期してセルＩＤを獲得する。以後、マップチャンネル復元器６１３を通じて該当ユーザーのデータが伝送されたチャンネルの種類、データが伝送された時間-周波数上の位置情報を復元する。
【００６６】
以後、マップチャンネル復元器６１３は、復元された該当ユーザーのデータが伝送されたチャンネル情報をチャンネル選択器６１５に提供する。すると、チャンネル選択器６１５は、伝送されたチャンネルを確認し、ダイバシティチャンネルであるとダイバシティチャンネル復元器６１７に、ＡＭＣチャンネルであるとＡＭＣチャンネル復元器６１９に、任意のチャンネルであると任意のチャンネル復元器６２１にデータを伝送する。各チャンネル復元器６１７，６１９，６２１は、受信されたデータの中でマップチャンネル復元器６１３から復元された情報を通じてそのデータが位置した時間-周波数領域を確認し、その確認されたデータを復元する。
【００６７】
図７Ａは、本発明の実施形態による送信器でチャンネルを構成するための手順を示すフローチャートである。下記に、マップチャンネルは＜表１＞のように構成されると仮定する。
【００６８】
図７Ａを参照すると、送信器で各ユーザーの情報ビット列を伝送する場合に、送信器は、ステップ７０１で、各ユーザーのＩＤと各ユーザーが使用するチャンネル種類及びチャンネル上のリソースグループ番号を用いてマップチャンネルを構成する(マップチャンネルの構成について図８で詳細に説明する)。このとき、時間インデックスは０に初期化される。
【００６９】
以後、送信器は、ステップ７０３で、現在時間インデックスに該当するマップチャンネル情報を確認し、ユーザーに割り当てられたチャンネル種類とリソースグループ番号を確認する。
【００７０】
もし、確認されたチャンネル種類がダイバシティチャンネルである場合に、送信器は、ステップ７０５で、このダイバシティチャンネルのリソースグループ番号に情報ビット列を割り当ててダイバシティチャンネルを構成する。一方、確認されたチャンネル種類がＡＭＣチャンネルである場合に、送信器は、ステップ７０９で、このＡＭＣチャンネルのリソースグループ番号に情報ビット列を割り当ててＡＭＣチャンネルを構成する。また、確認されたチャンネル種類が任意のチャンネルである場合に、送信器は、ステップ７１１で、確認された任意のチャンネルのリソースグループ番号に情報ビット列を割り当てて任意のチャンネルを構成する。
【００７１】
情報ビット列のチャンネル種類によるチャンネル構成が終了すると、送信器は、ステップ７０７に進行して、時間インデックスｔがフレーム長さＴＦｒまで構成が完了したか否かを確認する。時間インデックスがフレーム長さまで構成が完了しないと(t≠ＴＦｒ)、送信器は、ステップ７１５で、時間インデックスを１段階増加させた後(ｔ＝ｔ＋１)、ステップ７０３に戻って割り当てられたチャンネル種類とリソースグループ番号によりチャンネルを構成する。
【００７２】
一方、時間インデックスがフレーム長さまで構成が完了すると(ｔ＝ＴＦｒ)、送信器は、ステップ７１３に進行してフレームを受信器に伝送し、アルゴリズムを終了する。
【００７３】
図７Ｂは、本発明の実施形態による受信器でチャンネルを復元するための手順を示すフローチャートである。図７Ｂを参照すると、受信器に受信されたフレームでユーザーのデータを復元するために、まず、受信器は、ステップ７２１で受信されたフレームでユーザーのＩＤと、ユーザーが使用するチャンネル種類、リソースグループ番号を含むマップチャンネルを復元する。
【００７４】
以後、受信器は、ステップ７２３で復元されたマップチャンネルの中でユーザーが使用するチャンネル種類を確認する。受信器は、確認されたチャンネル種類により、そのチャンネル種類がダイバシティチャンネルである場合に、受信器は、ステップ７２５で、ダイバシティチャンネル内の相対的な時間インデックスｔ＝０から該当チャンネルを受信する。 
もし、確認されたチャンネル種類がＡＭＣチャンネルである場合に、受信器は、ステップ７２９でＡＭＣチャンネル内の相対的な時間インデックスｔ＝０から該当チャンネルを受信する。
【００７５】
もし、確認されたチャンネル種類が任意のチャンネルである場合に、受信器は、ステップ７３１で、他のチャンネル内の相対的な時間インデックスｔ＝０から該当チャンネルを受信する。
【００７６】
もし、確認されたチャンネル種類により、該当チャンネルを受信した後に、受信器は、ステップ７２７で、各チャンネル内の相対的な時間インデックスｔとステップ７２１で復元されたリソースグループ番号が位置した時間インデックス(ダイバシティチャンネル：Ｔgrp_Ｄ、ＡＭＣチャンネル：Ｔgrp_Ａ、他のチャンネル：Ｔgrp_Ｏ)に至るか否かを確認する。各チャンネルでの相対的な時間インデックスが確認されたリソースグループ番号の時間インデックスに到達しないと(ｔ≠Ｔgrp)、受信器は、ステップ７３５に進行し、各チャンネルの相対的な時間インデックスを１段階増加させた後(ｔ＝ｔ＋１)、更にステップ７２３に戻る。
【００７７】
各チャンネルの相対的な時間インデックスが確認されたリソースグループ番号の時間インデックスに到達すると(ｔ＝Ｔgrp)、受信器は、ステップ７３３に進行し、リソースグループ番号に該当するユーザーデータを復元した後、受信器はこのアルゴリズムを終了する。 
【００７８】
図８は、本発明の実施形態によるマップチャンネルを構成する手順を示すフローチャートである。以下の説明で、＜表１＞のようにマップチャンネルを構成すると仮定する。
図８を参照すると、ステップ８０１で、上位階層から各ユーザーに伝送するデータが受信されると、送信器は、ステップ８０３に進行し、伝送するデータを分割して一つのフレームに伝送するようにデータのサイズを定める。
【００７９】
以後、送信器は、ステップ８０５で、フレームを構成する固定されたリソースグループの中で一定のサイズに決定されたデータのサイズに合うリソースグループを決定し、データを使用するユーザーのＩＤとデータが割り当てられて伝送されるサブチャンネルの種類、及びその他の制御情報を含むマップチャンネルを構成する。
【００８０】
送信器は、ステップ８０７で、このように構成されたマップチャンネル情報により、受信されたデータを該当リソースグループ番号に割り当ててフレーム内の伝送データを整列する。フレーム内の伝送データを整列した後に、送信器は、ステップ８０９で、フレームを物理階層に伝送した後にアルゴリズムを終了する。
【００８１】
図９は、本発明の実施形態によるＯＦＤＭシステムのフレーム構造を示す。以下の説明では、ＯＦＤＭシステムのフレーム構造で、順方向サブフレーム構造について説明し、逆方向サブフレームも順方向サブフレームに類似すると仮定する。また、ＯＦＤＭフレームの縦軸は周波数領域、横軸は時間領域をそれぞれ示す。
【００８２】
図９を参照すると、フレームで一つのＯＦＤＭシンボルの長さは４５usで、ＦＦＴ＝５１２で境界(Ｇｕａｒｄ)副搬送波を除いた残りの副搬送波が４００個である。また、一つのフレームは１６個のＯＦＤＭシンボルで構成される逆方向(Ｕｐｌｉｎｋ)サブフレームと３７個のＯＦＤＭシンボルで構成される順方向(Ｄｏｗｎｌｉｎｋ)サブフレーム９０１、及びサブフレーム間のガード時間間隔で構成される。一つのフレームは時間上２.５ｍｓを有し、特に、順方向のサブフレーム９０１は１.６６５ｍｓの長さを有する。８個のフレームが集まると、スーパーフレーム９０３を構成し、スーパーフレームは８個の個別フレームで構成され、時間上には２０ｍｓの長さを有する。ここで、スーパーフレームは、個別フレーム以外に情報伝送の他の基本単位となることも可能である。
【００８３】
順方向のサブフレーム構造を説明すると、次のようである。順方向サブフレームの最初のシンボルは、時間及び周波数の同期獲得に使用されるプリアンブル９０５として使用される。プリアンブル９０５以後の２個のシンボルは、システム情報を伝送するシンボル区間９０７で使用され、シンボル区間９０７は基地局のＩＤ情報及び予め基地局と端末との間に定められたマップに対するインデックスの情報などが伝送される。このマップに対するインデックス別にシステム制御情報及びデータ部分が周波数及び時間別に割り当られる方法に関する情報が定義されている。
【００８４】
２個のシンボル区間９０７以後の４個のシンボルにはユーザー別データ割り当てに関する制御情報であるマップ情報９０９が伝送される。このマップ情報９０９は、ユーザーＩＤ、適応リンク及び制御情報、図３に示したユーザーに割り当てられる副搬送波グループに関するインデックス情報などを含む。マップ情報９０９以後に順方向シンボルは、実際伝送しようとする順方向データを含むが、以下、説明ではプリアンブル９０５、２個のシンボル区間９０７、マップ情報９０９以外に残っている順方向の３０個のシンボル中に前の１０個はＡＭＣサブチャンネル区間９１１に、２０個はダイバシティサブチャンネル９１３に、それぞれ割り当てられる。ＡＭＣサブチャンネル区間とダイバシティサブチャンネル区間の割り当て比率は、上述したように変化可能であり、２個のシンボル区間９０７のシステム情報を通じて端末に知らせることができる。
【００８５】
順方向フレーム内のサブチャンネル割り当て方法に対する実施形態は、次のようである。ＡＭＣ又はダイバシティサブチャンネルに関係なく物理階層でチャンネルコーディング前に受信されるデータ情報ビットの最小単位は９６ビットで、１/３チャンネルコーディング、ＱＰＳＫを使用する場合に伝送されるデータは１４４ビット(９６＊３/２）に変調される。ＡＭＣ及びダイバシティサブチャンネル区間の最小単位は、時間では一つのシンボル、周波数では一つのサブチャンネルで構成されるが、実際に一つのシンボルでデータ伝送が可能な副搬送波は、４００個の副搬送波の中でＤＣ及びヌル(ｎｕｌｌ)キャリア、パイロット副搬送波を除いた残りの副搬送波のみが使用可能であるが、ＤＣ及びヌルキャリアはシンボルごとに異なる可能性がある。したがって、本発明の実施形態で、下記の＜表５＞はＡＭＣ及びダイバシティサブチャンネルでのシンボルインデックスによるＤＣ及びヌルキャリアの配置を示し、この配置を通じて使用可能な副搬送波の個数も共に示す。以下、＜表５＞で３０個のシンボルのインデックスは７〜３６で、４００個の副搬送波のインデックスは−２００〜＋１９９である。
【００８６】
【表５】
2007006503.tif 000009
【００８７】
＜表５＞を参照すると、ＡＭＣサブチャンネル区間で一つのシンボル内のデータ副搬送波の個数が３４３６であるシンボルは８個、３４４であるシンボルは２個であるため、使用可能なデータ副搬送波は３４５６個((３４６＊８)＋(３４４＊２))で、３４５６個の副搬送波で構成可能なＡＭＣサブチャンネルの個数は総２４個(３４５６/１４４)まで可能である。
【００８８】
また、ダイバシティサブチャンネル区間でも一つのシンボル内のデータ副搬送波の個数が３４６であるシンボルは１６個で、３４４であるシンボルは４個であるため、使用可能なデータ副搬送波の個数は６９１２((３４６＊１６)＋(３４４＊４))で、６９１２個の副搬送波で構成可能なダイバシティサブチャンネルの個数は、総４８個(６９１２/１４４)まで可能である。
【００８９】
下記の＜表６＞では、各ユーザーに伝送されるマップ情報を減少させるために提案した本発明の具体的な例を提示する。そのために、図９のＡＭＣサブチャンネル及びダイバシティサブチャンネルをユーザーに定められた規則によって割り当てる数値的な例を示す。
【００９０】
【表６】
2007006503.tif 000010
【００９１】
＜表５＞で、図３のようにユーザーにデータを伝送するためのリソース割り当ては副搬送波グループで遂行される。ダイバシティチャンネルである場合にユーザーに割り当て可能なリソースの場合の数は７２つで、ＡＭＣチャンネルである場合にユーザーに割り当て可能なリソースの場合の数は４８つであるため、総１２０つの場合の数でリソース割り当てが可能である。したがって、一人のユーザーにフレーム内の副搬送波グループを指定するために必要な制御情報ビットの数は、７ビット(２７＝１２８)が必要である。
【００９２】
以上、本発明の詳細な説明においては具体的な実施形態に関して説明したが、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００９３】
【図１】ＩＥＥＥ８０２.１６ｄ及び８０２.１６ｅ規格のＯＦＤＭＡシステムのフレーム構造を示す図である。
【図２】本発明の実施形態によるフレーム構造を示す図である。
【図３】本発明の実施形態による固定されたリソースユニットを用いるチャンネルの構成を示す図である。
【図４】図３に示すチャンネルの構成の実施形態を示す図である。
【図５】本発明の実施形態による多重接続方式を支援する送受信器の階層構造を示す図である。
【図６Ａ】本発明の実施形態による多重接続方式を支援する送信器を示すブロック構成図である。
【図６Ｂ】本発明の実施形態による多重接続方式を支援する受信器を示すブロック構成図である。
【図７Ａ】本発明の実施形態による送信器でチャンネルを構成するための手順を示すフローチャートである。
【図７Ｂ】本発明の実施形態による受信器でチャンネルを復元するための手順を示すフローチャートである。
【図８】本発明の実施形態によるマップチャンネルを構成する手順を示すフローチャートである。
【図９】本発明の実施形態によるＯＦＤＭシステムにおけるフレーム構造を示す図である。
【符号の説明】
【００９４】
６０１      プリアンブルチャンネル発生器
６０３      マップチャンネル発生器
６０５      ダイバシティチャンネル/ＡＭＣチャンネル/任意のチャンネル発生器
６０７      時間間隔発生器(ＴＤＤ)
６１１      プリアンブルチャンネル復元器
６１３      マップチャンネル復元器
６１５      チャンネル選択器
６１７      ダイバシティチャンネル復元器
６１９      ＡＭＣチャンネル復元器
６２１      任意のチャンネル復元器
【図１】
2007006503.tif 000011
【図２】
2007006503.tif 000012
【図３】
2007006503.tif 000013
【図４】
2007006503.tif 000014
【図５】
2007006503.tif 000015
【図６Ａ】
2007006503.tif 000016
【図６Ｂ】
2007006503.tif 000017
【図７Ａ】
2007006503.tif 000018
【図７Ｂ】
2007006503.tif 000019
【図８】
2007006503.tif 000020
【図９】
2007006503.tif 000021